【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
ＬＥＤのアノードに負荷電流を供給して前記ＬＥＤを点灯させる電源回路と、
前記ＬＥＤのカソードとグランド端子の間に直列接続された第１抵抗と、
一端および他端を有し、前記一端が前記ＬＥＤのカソードと前記第１抵抗の接続点に接続された第２抵抗と、
一端および他端を有し、前記一端に前記ＬＥＤのアノード電圧に応じた電圧が印加される第３抵抗と、
前記第２抵抗の前記他端と前記第３抵抗の前記他端とを接続した接続点の電圧、又は前記第２抵抗の前記他端の電圧と前記第３抵抗の前記他端の電圧とを乗算した電圧と、予め定めた所定値と、の差を前記電源回路にフィードバックするエラーアンプと、
前記第２抵抗と並列に接続し、前記第２抵抗の前記一端に印加される電圧が予め定めた電圧を上回ると、前記電源回路の出力に上限を設けるように前記第２抵抗の前記他端の電圧を調整する第１リミッタ回路と、
前記ＬＥＤの負荷電圧に上限を設ける第２リミッタ回路と、
を備え、
前記電源回路は、前記ＬＥＤの点灯中に前記差を減少させるように出力を制御するＬＥＤ点灯装置。
【請求項２】
前記第１リミッタ回路は、前記第２抵抗の前記一端に印加される電圧が予め定めた電圧を上回ったときに、前記第２抵抗の前記他端に電圧を加算する請求項１に記載のＬＥＤ点灯装置。
【請求項３】
前記第１リミッタ回路は、前記第２抵抗に並列接続された第１ツェナーダイオードを含む請求項１に記載のＬＥＤ点灯装置。
【請求項４】
前記第２リミッタ回路は、アノードが前記第３抵抗の前記他端と接続し、前記カソードに前記ＬＥＤのアノードに応じた電圧を受けるツェナーダイオードを含む請求項２または３に記載のＬＥＤ点灯装置。
【請求項５】
ＬＥＤのアノードに負荷電流を供給して前記ＬＥＤを点灯させる電源回路と、
前記ＬＥＤのカソードとグランド端子の間に直列接続された第１抵抗と、
一端および他端を有し、前記一端が前記ＬＥＤのカソードと前記第１抵抗の接続点に接続された第２抵抗と、
一端および他端を有し、前記一端に前記ＬＥＤのアノード電圧に応じた電圧が印加される第３抵抗と、
前記第２抵抗の前記他端と前記第３抵抗の前記他端とを接続した接続点の電圧、又は前記第２抵抗の前記他端の電圧と前記第３抵抗の前記他端の電圧とを乗算した電圧と、予め定めた所定値と、の差を前記電源回路にフィードバックするエラーアンプと、
前記第３抵抗の前記一端の電圧が基準電圧を下回らないように、前記第３抵抗の前記一端の電圧に下限を設ける第３リミッタ回路と、
前記ＬＥＤの負荷電圧に上限を設ける第４リミッタ回路と、
を備え、
前記電源回路は、前記ＬＥＤの点灯中に前記差を減少させるように出力を制御するＬＥＤ点灯装置。
【請求項６】
前記第３リミッタ回路は、
前記ＬＥＤのアノード電圧と基準電圧を比較するコンパレータと、
前記アノード電圧が前記基準電圧以上の場合には前記第３抵抗の前記一端に前記アノード電圧を印加し、前記アノード電圧が前記基準電圧を下回る場合には前記第３抵抗の前記一端に前記基準電圧を印加するように接続を切り替える切替回路と、
を含む請求項５に記載のＬＥＤ点灯装置。
【請求項７】
前記第３リミッタ回路は、
一端が前記ＬＥＤのアノードと接続し、他端が前記第３抵抗の前記一端に接続したリミッタ抵抗と、
エミッタが前記第３抵抗と前記リミッタ抵抗の接続点に接続され、コレクタが前記ＬＥＤのアノードに接続されたトランジスタと、
前記接続点の電圧に応じた電圧をリファレンス端子に受け、前記トランジスタのベースに出力電圧を印加するシャントレギュレータと、
を含む請求項５に記載のＬＥＤ点灯装置。
【請求項８】
前記第３リミッタ回路は、
一端が前記ＬＥＤのアノードと接続され、他端が前記第３抵抗の一端と接続された第１リミッタ抵抗と、
前記第３抵抗と前記第１リミッタ抵抗とが接続された第１接続点にカソードが接続されたダイオードと、
一端が前記ＬＥＤのアノードと接続され、他端が前記ダイオードのアノードに接続された第２リミッタ抵抗と、
前記ダイオードのアノードと前記第２リミッタ抵抗の前記他端とが接続された第２接続点にカソードが接続され、グランド端子にアノードが接続されたツェナーダイオードと、
を含む請求項５に記載のＬＥＤ点灯装置。
【請求項９】
前記第４リミッタ回路は、前記第３抵抗の前記他端の電圧に応じた電圧をアノードに受け、前記カソードに前記ＬＥＤのアノードに応じた電圧を受けるツェナーダイオードを含む請求項６〜８のいずれか１項に記載のＬＥＤ点灯装置。
【請求項１０】
ＬＥＤのアノードに負荷電流を供給して前記ＬＥＤを点灯させる電源回路と、
前記負荷電流を検知する第一検知手段と、
前記ＬＥＤに印加される負荷電圧を検知する第二検知手段と、
前記第二検知手段で検知した値が予め定めた下限値を下回らないときには前記第二検知手段で検知した値を出力し、前記第二検知手段で検知した値が前記下限値を下回るときには前記下限値を出力する低電圧リミッタと、
前記第一検知手段で検知した値と、前記低電圧リミッタが出力した値と、を加算または乗算した値を出力する演算手段と、
前記演算手段の出力する値に上限を設ける高電圧リミッタと、
前記高電圧リミッタの制限を受けた前記演算手段からの出力値と、予め定めた所定値と、の差を前記電源回路にフィードバックする比較手段と、
を備え、
前記電源回路は、前記ＬＥＤの点灯中に前記差を減少させるように出力を制御するＬＥＤ点灯装置。
【請求項１１】
前記比較手段、前記低電圧リミッタ、および前記高電圧リミッタがマイコンに内蔵された請求項１０に記載のＬＥＤ点灯装置。
【手続補正２】
【補正対象書類名】明細書
【補正対象項目名】００１１
【補正方法】変更
【補正の内容】
【００１１】
第３の発明にかかるＬＥＤ点灯装置は、ＬＥＤのアノードに負荷電流を供給して前記ＬＥＤを点灯させる電源回路と、前記負荷電流を検知する第一検知手段と、前記ＬＥＤに印加される負荷電圧を検知する第二検知手段と、前記第二検知手段で検知した値が予め定めた下限値を下回らないときには前記第二検知手段で検知した値を出力し、前記第二検知手段で検知した値が前記下限値を下回るときには前記下限値を出力する低電圧リミッタと、前記第一検知手段で検知した値と、前記低電圧リミッタが出力した値と、を加算または乗算した値を出力する演算手段と、前記演算手段の出力する値に上限を設ける高電圧リミッタと、前記高電圧リミッタの制限を受けた前記演算手段からの出力値と、予め定めた所定値と、の差を前記電源回路にフィードバックする比較手段と、を備え、前記電源回路は、前記ＬＥＤの点灯中に前記差を減少させるように出力を制御する。
【手続補正３】
【補正対象書類名】明細書
【補正対象項目名】００１２
【補正方法】変更
【補正の内容】
【００１２】
第１〜３の発明によれば、定電力制御を行うＬＥＤ点灯装置において、リミッタの動作が反映された後の値が加算または乗算された算出値を、電源回路にフィードバックすることができる。これにより、電流リミッタと電圧リミッタの両方を同時に作動させることができ、リミッタされた許容範囲内で最大電力を設定可能な定電力制御を実現することができる。
【手続補正４】
【補正対象書類名】明細書
【補正対象項目名】００５１
【補正方法】変更
【補正の内容】
【００５１】
ここで実施の形態５の回路設計方法の一例を説明すると、降伏電圧が５．１ＶであるツェナーダイオードＤＺ４を選定して、抵抗Ｒ９とツェナーダイオードＤＺ４のカソードの接続点が５．１Ｖで維持されるように構成しておく。抵抗Ｒ３と抵抗Ｒ６の接続点の電圧が例えば通常７Ｖ程度となるように抵抗Ｒ３，Ｒ６を選定しておく。ダイオードＤ５のアノードに５．１Ｖが印加され、ダイオードＤ５のカソードに７Ｖ程度の電圧が印加されているときには、ダイオードＤ５に逆バイアスがかかっている。その後、ＬＥＤの負荷電圧が低下し、例えば抵抗Ｒ３と抵抗Ｒ６の接続点の電圧が７Ｖから４．５Ｖを下回るまで下がったとする。この場合、ダイオードＤ５のアノードの電圧５．１Ｖから０．６Ｖの電圧降下分を差し引いた４．５Ｖが抵抗Ｒ３と抵抗Ｒ６の接続点に供給され続けるので、抵抗Ｒ３の一端に印加される電圧に下限を設けることができる。これにより、低電圧リミッタ回路９は抵抗Ｒ３の一端の電圧が基準電圧を下回らないように制限する。これにより実施の形態１〜４と同様の効果を得ることができる。
【手続補正５】
【補正対象書類名】図面
【補正対象項目名】図９
【補正方法】変更
【補正の内容】
【図９】
2017021954.tif 000001